(57)【要約】【課題】本発明は、光ピックアップにおいて小型軽量化された簡易な構成で、安定した記録状態を持続させるようにする。【解決手段】本発明は、光ビームを出射するレーザダイオード４２Ａと、レーザダイオード４２Ａから出射される光ビームの光路上に設けられ、当該光ビームを平行光に変換するコリメータレンズ４４と、波長選択膜４５Ａ及び当該波長選択膜４５Ａと平行に設けられた反射防止膜４５Ｂを有し、波長選択膜４５Ａによって平行光を分光し、当該平行光を所定の割合で光ディスク１００へ照射すると共に、当該平行光の残りをパワーコントロールのためのＦＰＤ４６へ導く所定厚さでなるＤＢＳＰ４５とを具え、コリメータレンズ４４における光路上の位置が移動された結果、平行光が微発散光又は微収束光に変換された状態でＤＢＳＰ４５へ導かれるようにした。【選択図】図４
2009259347.tif 000002
【特許請求の範囲】
【請求項１】
光ビームを出射する光源と、
上記光源から出射される上記光ビームの光路上に設けられ、当該光ビームを平行光に変換するコリメータレンズと、
第１膜及び当該第１膜と平行に設けられた第２膜を有し、上記第１膜によって上記平行光を分光し、当該平行光を所定の割合で光ディスクへ導くと共に、当該平行光の残りをパワーコントロールのための光量検出素子へ導く所定厚さでなる板状の反射板と
を具え、
上記コリメータレンズにおける上記光路上の位置が移動された結果、上記平行光が微発散光又は微収束光に変換された状態で上記反射板へ導かれるようにした
光ピックアップ。
【請求項２】
上記コリメータレンズが上記光源に近付く方向へ移動されたことにより上記平行光が上記微発散光に変換された場合、上記コリメータレンズの焦点距離ｆ、上記コリメータレンズの移動量ΔＺとすると、次式
ΔＺ／ｆ≧０．０１２
を満たす
請求項１に記載の光ピックアップ。
【請求項３】
上記光ディスクの前面に配置され、上記コリメータレンズが移動されたことにより発生する球面収差を補正する対物レンズと
を具える請求項２に記載の光ピックアップ。
【請求項４】
上記コリメータレンズが上記反射板に近付く方向へ移動されたことにより上記平行光が上記微収束光に変換された場合、上記コリメータレンズの焦点距離ｆ、上記コリメータレンズの移動量ΔＺとすると、次式
ΔＺ／ｆ≧０．０１２
を満たす
請求項１に記載の光ピックアップ。
【請求項５】
上記光ディスクの前面に配置され、上記コリメータレンズが移動されたことにより発生する球面収差を補正する対物レンズと
を具える請求項４に記載の光ピックアップ。
【請求項６】
上記第１膜は、上記光ビームの波長に応じて反射率が相違する波長選択膜である
請求項１に記載の光ピックアップ。
【請求項７】
上記第１膜は、上記光ビームの偏光方向に応じて反射率が相違する偏光膜である
請求項１に記載の光ピックアップ。
【請求項８】
第１光ディスクであるか当該第１光ディスクとは特性の異なる第２光ディスクであるかを判別する判別部と、
上記第１光ディスクへ照射する第１波長の第１光ビームを出射する第１光源と、
上記第２光ディスクへ照射する第２波長の第２光ビームを出射する第２光源と、
上記判別部による判別結果に応じて上記第１光ビーム又は上記第２光ビームの何れかを上記第１光源又は上記第２光源から出射させる制御部と、
上記第１光源から出射される上記第１光ビームの光路上に設けられ、当該第１光ビームを第１平行光に変換する第１コリメータレンズと、
上記第２光源から出射される上記第２光ビームの光路上に設けられ、当該第２光ビームを第２平行光に変換する第２コリメータレンズと、
第１膜及び当該第１膜と平行に設けられた第２膜を有し、上記第１膜によって上記第１平行光又は上記第２平行光を分光し、当該第１平行光又は当該第２平行光を所定の割合で上記第１光ディスク又は上記第２光ディスクへ導くと共に、当該第１平行光の残り又は当該第２平行光の残りをパワーコントロールのための光量検出素子へ導く所定厚さでなる板状の反射板と
を具え、
上記第１コリメータレンズ又は上記第２コリメータレンズにおける上記光路上の位置が移動された結果、上記第１コリメータレンズ又は上記第２コリメータレンズにより上記平行光が微発散光又は微収束光に変換された状態で上記反射板へ導かれるようにした
光ディスク装置。
【発明の詳細な説明】
【技術分野】
【０００１】
本発明は、光ピックアップ及び光ディスク装置に関し、例えばＤＶＤ(Digital Versatile Disc)やＣＤ(Compact Disc)等の光ディスクを対象とした光ディスク装置に適用して好適なものである。
【背景技術】
【０００２】
従来、光ディスク装置の光ピックアップにおいては、レーザダイオードから出射された光ビームの一部を当該光ビームのオートパワーコントロール（以下、これをＡＰＣと呼ぶ）用に設けられたフロントフォトディテクタにより検出し、当該検出された光ビームの光量に応じてレーザダイオードから出射させるパワーを所望の光量となるように制御するものがある（引用文献１参照）。
【特許文献１】特開2001-202651公報
【０００３】
また、図１に示すように、光ピックアップ１では、レーザダイオード２Ａ及びフォトディテクタ（図示せず）を一体化したＤＶＤ用光集積素子２と、レーザダイオード３Ａ及びフォトディテクタ（図示せず）を一体化したＣＤ用光集積素子３とを有し、ＣＤ方式の光ディスク１００Ｃ又はＤＶＤ方式の光ディスク１００Ｄに対する記録動作又は再生動作を実行し得るようになされている。
【０００４】
実際上、光ピックアップ１は、ＤＶＤ用光集積素子２のレーザダイオード２Ａから波長約６６０［ｎｍ］でなる光ビームＬ１を出射させ、それをコリメータレンズ４により平行光Ｌ２に変換する。
【０００５】
そして光ピックアップ１は、平板状でなるダイクロイックビームスプリッタプレート（以下、これをＤＢＳＰと呼ぶ）５の波長選択膜５Ａにより、その平行光Ｌ２の９０％（Ｌ２Ａ）を透過させて光ディスク１００Ｄ側へ導くと共に、平行光Ｌ２の１０％（Ｌ２Ｂ）を反射させてＡＰＣ側のフロントフォトディテクタ（以下、これをＦＰＤと呼ぶ）６へ導くようになされている。
【０００６】
光ピックアップ１は、平行光Ｌ２Ａを反射ミラー７により反射させ、対物レンズ８を介して集光し、光ディスク１００Ｄの信号記録層に対して照射するようになされている。
【０００７】
なお光ピックアップ１は、ＤＢＳＰ５の波長選択膜５Ａとは反対の面に反射防止膜５Ｂが形成されており、平行光Ｌ２のＡＰＣ側への反射を防止するようになされているが、実際、反射防止膜５Ｂにおける反射光を完全に「０」とすることはできず、僅かな（約１％以下程度）反射光Ｌ２ＣをＡＰＣ側のＦＰＤ６へ照射してしまう。
【発明の開示】
【発明が解決しようとする課題】
【０００８】
ところでかかる構成の光ピックアップ１においては、波長選択膜５Ａで反射した平行光Ｌ２Ｂと、反射防止膜５Ｂで反射してしまった不要な反射光Ｌ２Ｃとが干渉を起こし（波線部分で示す）、ＡＰＣ側のＦＰＤ６に干渉縞を生じさせることになる。
【０００９】
このとき光ピックアップ１では、レーザダイオード２Ａの温度上昇によって光ビームＬ１の波長が変化すると、ＦＰＤ６に生じた干渉縞が変動して当該ＦＰＤ６が検出する光量が変化するため、レーザダイオード２Ａから対物レンズ８を介して光ディスク１００Ｄへ照射される出射パワーが変動し、安定した記録状態を阻害するという問題があった。
【００１０】
このような事態を回避するため、図１との対応部分に同一符号を付した図２に示すように、平板状でなるＤＢＳＰ５の代わりにプリズム状でなるビームスプリッタ１５を用いた光ピックアップ２０が考えられるものの、大型化及び重量化してしまうという問題があった。
【００１１】
本発明は以上の点を考慮してなされたもので、小型軽量化された簡易な構成で、安定した記録状態を持続させ得る光ピックアップ及び光ディスク装置を提案しようとするものである。
【課題を解決するための手段】
【００１２】
かかる課題を解決するため本発明においては、光ビームを出射する光源と、光源から出射される光ビームの光路上に設けられ、当該光ビームを平行光に変換するコリメータレンズと、第１膜及び当該第１膜と平行に設けられた第２膜を有し、第１膜によって平行光を分光し、当該平行光を所定の割合で光ディスクへ導くと共に、当該平行光の残りをパワーコントロールのための光量検出素子へ導く所定厚さでなる板状の反射板とを具え、コリメータレンズにおける光路上の位置が移動された結果、平行光が微発散光又は微収束光に変換された状態で反射板へ導かれるようにした。
【００１３】
これにより、コリメータレンズを介した平行光が微発散光又は微収束光に変換された状態で反射板へ導かれることになるため、反射板の第１膜によって光量検出素子へ導かれる平行光の残りと、第２膜によって光量検出素子へ導かれるコリメータレンズを介した平行光とが干渉したときに比べて、反射板の第１膜によって光量検出素子へ導かれる微発散光又は微収束光の残りと、第２膜によって光量検出素子へ導かれる微発散光又は微収束光とが干渉したときの方が、光量検出素子に生じる干渉縞の度合いを低減させることができる。
【００１４】
また本発明においては、第１光ディスクであるか当該第１光ディスクとは特性の異なる第２光ディスクであるかを判別する判別部と、第１光ディスクへ照射する第１波長の第１光ビームを出射する第１光源と、第２光ディスクへ照射する第２波長の第２光ビームを出射する第２光源と、判別部による判別結果に応じて第１光ビーム又は第２光ビームの何れかを第１光源又は第２光源から出射させる制御部と、第１光源から出射される第１光ビームの光路上に設けられ、当該第１光ビームを第１平行光に変換する第１コリメータレンズと、第２光源から出射される第２光ビームの光路上に設けられ、当該第２光ビームを第２平行光に変換する第２コリメータレンズと、第１膜及び当該第１膜と平行に設けられた第２膜を有し、第１膜によって第１平行光又は第２平行光を分光し、当該第１平行光又は当該第２平行光を所定の割合で第１光ディスク又は第２光ディスクへ導くと共に、当該第１平行光の残り又は当該第２平行光の残りをパワーコントロールのための光量検出素子へ導く所定厚さでなる板状の反射板とを具え、第１コリメータレンズ又は第２コリメータレンズにおける光路上の位置が移動された結果、第１コリメータレンズ又は第２コリメータレンズにより平行光が微発散光又は微収束光に変換された状態で反射板へ導かれるようにした。
【００１５】
これにより、第１コリメータレンズ又は第２コリメータレンズにより平行光が微発散光又は微収束光に変換された状態で反射板へ導かれることになるため、反射板の第１膜によって光量検出素子へ導かれる第１平行光又は第２平行光の残りと、第２膜によって光量検出素子へ導かれる第１コリメータレンズ又は第２コリメータレンズを介した第１平行光又は第２平行光とが干渉したときに比べて、反射板の第１膜によって光量検出素子へ導かれる微発散光又は微収束光の残りと、第２膜によって光量検出素子へ導かれる微発散光又は微収束光とが干渉したときの方が、光量検出素子に生じる干渉縞の度合いを低減させることができる。
【発明の効果】
【００１６】
本発明によれば、反射板の第１膜によって光量検出素子へ導かれる微発散光又は微収束光の残りと、第２膜によって光量検出素子へ導かれる微発散光又は微収束光とが干渉したときの光量検出素子に生じる干渉縞の度合いを低減させることができるので、干渉縞の影響により光ビームの出射パワーを不安定にさせることを防止し得、かくして小型軽量化された簡易な構成で、安定した記録状態を持続させ得る光ピックアップを実現することができる。
【００１７】
また本発明によれば、第１コリメータレンズ又は第２コリメータレンズにより平行光が微発散光又は微収束光に変換された状態で反射板へ導かれることになるため、反射板の第１膜によって光量検出素子へ導かれる第１平行光又は第２平行光の残りと、第２膜によって光量検出素子へ導かれる第１コリメータレンズ又は第２コリメータレンズを介した第１平行光又は第２平行光とが干渉したときに比べて、反射板の第１膜によって光量検出素子へ導かれる微発散光又は微収束光の残りと、第２膜によって光量検出素子へ導かれる微発散光又は微収束光とが干渉したときの方が、光量検出素子に生じる干渉縞の度合いを低減させることができるので、干渉縞の影響により第１光ビーム及び第２光ビームの出射パワーを不安定にさせることを防止し得、かくして小型軽量化された簡易な構成で、安定した記録状態を持続させ得る光ディスク装置を実現することができる。
【発明を実施するための最良の形態】
【００１８】
以下、図面について、本発明の一実施の形態を詳述する。
【００１９】
（１）第１の実施の形態
（１−１）光ディスク装置の全体構成
図３において、本発明における第１の実施の形態における光ディスク装置３０では、制御部３１を中心に構成されており、ＣＤ方式でなる光ディスク１００Ｃ又はＤＶＤ方式でなる光ディスク１００Ｄに対して情報を記録し得、また当該光ディスク１００（１００Ｃ又は１００Ｄ）から情報を再生し得るようになされている。
【００２０】
制御部３１は、図示しないＣＰＵ（Central Processing Unit）と、各種プログラム等が格納されるＲＯＭ（Read Only Memory）と、当該ＣＰＵのワークメモリとして用いられるＲＡＭ（Random Access Memory）とによって構成されており、光ディスク装置３０を統括制御するようになされている。
【００２１】
実際上、制御部３１は、駆動部３２を介してスピンドルモータ３４を回転駆動させ、ターンテーブル（図示せず）に載置された光ディスク１００（１００Ｃ又は１００Ｄ）を所望の速度で回転させる。
【００２２】
また制御部３１は、駆動部３２を介してスレッドモータ３５を駆動させることにより、移動軸Ｇ１及びＧ２に沿って光ピックアップ４０を光ディスク１００（１００Ｃ又は１００Ｄ）の内周側又は外周側へ向かうトラッキング方向へ大きく移動させる。
【００２３】
さらに制御部３１は、駆動部３２を介して２軸アクチュエータ３７を駆動制御することにより対物レンズ３８を光ディスク１００（１００Ｃ又は１００Ｄ）に近接又は離隔させるフォーカス方向へ移動させ、またトラッキング方向へ細かく移動させる。
【００２４】
制御部３１は、このように対物レンズ３８の位置を制御した上で、光ピックアップ４０によって光ディスク１００（１００Ｃ又は１００Ｄ）に光ビームを照射し、その反射光を検出することにより、情報の再生処理及び記録処理を行うようになされている。
【００２５】
ところで光ディスク装置３０は、ＣＤ方式でなる光ディスク１００Ｃ及びＤＶＤ方式でなる光ディスク１００Ｄの両方に対応し得るようになされているため、光ディスク１００（１００Ｃ又は１００Ｄ）が装填されると、まず次の処理を行う。
【００２６】
すなわち光ディスク装置３０の制御部３１は、当該光ディスク１００（１００Ｃ又は１００Ｄ）のＴＯＣ（Table of Contents）領域等から当該光ディスク１００の種別に関する情報を読み出す等のディスク判別処理を行うことにより、ＣＤ方式でなる光ディスク１００Ｃ又はＤＶＤ方式でなる光ディスク１００Ｄのいずれであるかを判別するようになされている。
【００２７】
（１−２）光ピックアップの構成
図４に示すように、光ピックアップ４０は、光ディスク１００がＤＶＤ方式でなる光ディスク１００Ｄであった場合、ＤＶＤ用光集積素子４２のレーザダイオード４２Ａから波長約６６０［ｎｍ］でなる例えばＰ偏光の光ビームＬ１１を出射させ、偏光ホログラム４２Ｃへ入射させる。
【００２８】
偏光ホログラム４２Ｃは、光ビームＬ１１の偏光方向によって回折させ、又は直進させる光学的性質を有しており、レーザダイオード４２Ａから出射されたＰ偏光の光ビームＬ１１を直進させ、１／４波長偏光板４３へ入射させる。
【００２９】
１／４波長偏光板４３は、光ビームの偏光状態を直線偏光から円偏光へ、又は円偏光から直線偏光へ偏光するようになされており、Ｐ偏光の光ビームＬ１１を左円偏光に変換した後コリメータレンズ４４へ入射させる。
【００３０】
コリメータレンズ４４は、１／４波長偏光板４３から入射された光ビームＬ１１を発散光から平行光Ｌ１２へ変換してダイクロイックビームスプリッタプレート（以下、これをＤＢＳＰと呼ぶ）４５へ入射させる。
【００３１】
ここでＤＢＳＰ４５は、所定厚さの板状でなり、波長選択膜４５Ａ及び当該波長選択膜４５Ａと平行に設けられた反射防止膜４５Ｂを有し、ＤＶＤ用光集積素子４２のレーザダイオード４２Ａから出射された平行光Ｌ１２と、ＣＤ用光集積素子５２のレーザダイオード５２Ａから出射された平行光（図示せず）との光路の合成を行うようになされている。
【００３２】
なおＤＢＳＰ４５は、コリメータレンズ４４と近い方に反射防止膜４５Ｂが配置され、コリメータレンズ４４から遠い方に波長選択膜４５Ａが配置されるように、当該コリメータレンズ４４と反射ミラー４７との間に設けられている。
【００３３】
またＤＢＳＰ４５は、波長選択膜４５Ａによってコリメータレンズ４４から入射された平行光Ｌ１２を分光し、所定の割合で透過すると共に、その残りを反射させるようになされている。
【００３４】
実際上ＤＢＳＰ４５は、波長選択膜４５Ａの光学的性質により、波長約６６０［ｎｍ］の光ビームＬ１１を例えば９０％の割合で透過させ、また当該光ビームＬ１１を波長選択膜４５Ａにより１０％の割合で反射させるようになされている。
【００３５】
従ってＤＢＳＰ４５は、コリメータレンズ４４から入射された波長約６６０［ｎｍ］の平行光Ｌ１２を波長選択膜４５Ａにより９０％の割合で透過させ、それを平行光Ｌ１２Ａとして反射ミラー４７へ入射させる。
【００３６】
因みにＤＢＳＰ４５は、ＣＤ用光集積素子５２のレーザダイオード５２Ａから出射された波長約７８０［ｎｍ］の光ビームを波長選択膜４５Ａにより例えば１０％の割合で透過させ、また当該光ビームを波長選択膜４５Ａにより９０％の割合で反射させる光学的性質をも有している。
【００３７】
反射ミラー４７は、平行光Ｌ１２Ａを反射させ、当該平行光Ｌ１２Ａを左円偏光から右円偏光に変換した後、対物レンズ３８へ入射させる。
【００３８】
対物レンズ３８は、ＣＤ方式でなる光ディスク１００Ｃ及びＤＶＤ方式でなる光ディスク１００Ｄに合わせた光学特性を有しており、平行光Ｌ１２Ａを集光し、当該光ディスク１００Ｄの信号記録層に照射する。
【００３９】
平行光Ｌ１２Ａは、光ディスク１００Ｄにおいて反射され、例えば右円偏光から左円偏光に変換された反射光ビームとして光ビームＬ１１の光路を反対方向へ順次辿る。反射光ビームは、対物レンズ３８により平行光に変換され、反射ミラー４７により例えば左円偏光から右円偏光に変換されてＤＢＳＰ４５に入射される。
【００４０】
ＤＢＳＰ４５は、反射ミラー４７により反射された平行光を９０％の割合で透過させ、コリメータレンズ４４を介して１／４波長偏光板４３へ入射させる。
【００４１】
１／４波長偏光板４３は、コリメータレンズ４４から入射された反射光ビームを例えば右円偏光からＳ偏光に変換し、ＤＶＤ用光集積素子４２の偏光ホログラム４２Ｃへ入射させる。偏光ホログラム４２Ｃは、１／４波長偏光板４３から入射されたＳ偏光の反射光ビームを回折させ、フォトディテクタ４２Ｂへ入射させる。
【００４２】
フォトディテクタ４２Ｂは、偏光ホログラム４２Ｃにより回折された反射光ビームの光量を検出し、当該検出した光量に応じたＤＶＤ再生検出信号を生成して信号処理部３３（図３）へ供給する。
【００４３】
信号処理部３３は、フォトディテクタ４２Ｂから供給された複数のＤＶＤ再生検出信号に対して所定の演算処理を施すことによりフォーカスエラー信号及びトラッキングエラー信号等を生成し、これらを駆動部３２へ供給することにより、フィードバック処理によるフォーカス制御及びトラッキング制御を行わせるようになされている。
【００４４】
また信号処理部３３は、フォトディテクタ４２Ｂから供給されたＤＶＤ再生検出信号に対して所定の演算処理を施すことにより、光ディスク１００Ｄに記録されている情報を表すＤＶＤ再生ＲＦ信号を生成し、さらに所定の復調処理や復号化処理等を施すことによりＤＶＤ再生信号を生成し、これを制御部１１へ供給する。これに応じて制御部３１は、当該ＤＶＤ再生信号を図示しない外部機器へ供給するようになされている。
【００４５】
一方、ＤＢＳＰ４５は、コリメータレンズ４４から入射された平行光Ｌ１２を波長選択膜４５Ａによって１０％の割合で反射させ、反射光Ｌ１２Ｂとしてオートパワーコントロール用のフロントフォトディテクタ（以下、これをＦＰＤと呼ぶ）４６へ入射させる。
【００４６】
光量検出素子としてのＦＰＤ４６は、ＤＢＳＰ４５の波長選択膜４５Ａにより反射された反射光Ｌ１２Ｂの光量を検出し、当該検出した光量に応じた光量検出信号を生成して信号処理部３３へ供給する。
【００４７】
信号処理部３３は、ＦＰＤ４６から供給される光量検出信号に対して所定の演算処理を施すことによりレーザ制御信号を生成し、当該レーザ制御信号をＤＶＤ用光集積素子４２のレーザダイオード４２Ａへ供給することにより、レーザダイオード４２Ａから出射させる光ビームＬ１１を所望の光量となるように制御するようになされている。
【００４８】
このように光ピックアップ４０は、信号処理部３３から供給されるレーザ制御信号に基づいて、レーザダイオード４２Ａから所望光量の光ビームＬ１１を出射させることにより、光ディスク１００Ｄに対する情報の記録再生特性を安定化するようになされている。
【００４９】
ところが光ピックアップ４０では、ＤＢＳＰ４５の波長選択膜４５Ａの反対側に形成された反射防止膜４５Ｂによって、コリメータレンズ４４から入射された平行光Ｌ１２のＡＰＣ側への反射を防止するようになされているものの、実際、反射防止膜４５Ｂにおける反射光を完全に「０」とすることはできず、僅かな（約１％以下程度）反射光Ｌ１２ＣをＡＰＣ側のＦＰＤ４６へ照射してしまう。
【００５０】
そのために光ピックアップ４０は、ＤＢＳＰ４５の波長選択膜５Ａで反射した反射光Ｌ１２Ｂと、反射防止膜５Ｂで反射してしまった不要な反射光Ｌ１２Ｃとが干渉を起こし（波線部分で示す）、ＡＰＣ側のＦＰＤ４６に干渉縞を生じさせてしまう。
【００５１】
このＦＰＤ４６に生じた干渉縞は、レーザダイオード４２Ａの温度上昇によって光ビームＬ１１の波長が変化すると、その干渉縞も変動することになる。そうすると、光ピックアップ４０では、当該ＦＰＤ４６によって検出する光量が干渉縞の変動により変化し、レーザダイオード４２Ａから対物レンズ３８を介して光ディスク１００Ｄへ照射される出射パワーが変動してしまう。
【００５２】
そこで光ピックアップ４０は、ＤＶＤ用光集積素子４２のレーザダイオード４２Ａから出射された光ビームＬ１１をコリメータレンズ４４によって平行光Ｌ１２とする際に、光ビームＬ１１を平行光Ｌ１２とするのではなく、コリメータレンズ４４を光ビームＬ１１の光路上でレーザダイオード４２Ａ側へ僅かに移動させた位置（点線で示す）に配置しておくようになされている。
【００５３】
これにより光ピックアップ４０では、コリメータレンズ４４を介して光ビームＬ１１を平行光ではなく微発散光に変換し、これをＤＢＳＰ４５へ導くことができるようになされている。
【００５４】
この結果、光ピックアップ４０では、当該ＤＢＳＰ４５の波長選択膜４５Ａにより１０％の割合で反射された微発散光の反射光と、反射防止膜４５Ｂにより反射した不要な微発散光の反射光との干渉度合いを低減させ得るようになされている。
【００５５】
なお光ピックアップ４０は、コリメータレンズ４４をレーザダイオード４２Ａ側へ移動させた場合、そのことに起因して光ディスク１００の信号記録層に対して照射するレーザ光に球面収差等を発生させることがある。
【００５６】
このようなコリメータレンズ４４の移動に伴って球面収差等が生じた場合でも、光ピックアップ４０では、それを予め吸収し得るように設計された対物レンズ３８が用いられることによって当該球面収差等を補正し得るようになされている。
【００５７】
（１−３）コリメータレンズの位置に応じた出射パワーの変動
次に、この光ピックアップ４０において、コリメータレンズ４４を光ビームＬ１１の光路上でレーザダイオード４２Ａ側へ移動させる前の位置（実線で示す）と、所定量だけ順次移動させた場合の３通りの位置（この場合、点線により１通りのみ示す）とに対する出射パワーの変動を、以下のグラフによって説明する。
【００５８】
図５、図７、図９及び図１１では、ＤＶＤ用光集積素子４２におけるレーザダイオード４２Ａの出射パワーすなわち出射光量の変化割合を％表示によって縦軸に示すと共に、レーザダイオード４２Ａの近傍に設けられたサーミスタ（図示せず）によって検出される当該レーザダイオード４２Ａの温度についても縦軸に示し、経過時間を横軸に示している。
【００５９】
図５は、光ピックアップ４０において、コリメータレンズ４４が光ビームＬ１１の光路上でレーザダイオード４２Ａ側へ移動される前の位置（実線で示す）であり、その移動量ΔＺ（この場合「０」）、コリメータレンズ４４の焦点距離ｆとしたとき、次式
【００６０】
ΔＺ／ｆ＝０                                            ……（１）
【００６１】
となり、コリメータレンズ４４からＤＢＳＰ４５に対して平行光Ｌ１２が導かれているときの出射パワーの変動を示している。
【００６２】
このとき光ピックアップ４０では、時間の経過と共に、レーザダイオード４２Ａの温度が３０度程度から約４５度程度にまで上昇しており、ＦＰＤ４６からの光量検出信号が一定となるように制御しているにも拘わらず、対物レンズ３８から光ディスク１００Ｄの信号記録層に照射される平行光Ｌ１２Ａの出射パワーが＋側に約４％、−側に約３．５％も変動している。
【００６３】
また図６でも同様に、サーミスタによるレーザダイオード４２Ａの温度変化に対して、対物レンズ３８から光ディスク１００Ｄの信号記録層に照射される平行光Ｌ１２Ａの出射パワーが＋側に約４％、−側に約３．５％も変動している様子が示されている。
【００６４】
これは、時間の経過に伴い、レーザダイオード４２Ａの温度が上昇し、当該レーザダイオード４２Ａからの出射波長が変化しているためにＦＰＤ４６に生じた干渉縞が変動し、当該ＦＰＤ４６への入射光量が変化することに起因して、対物レンズ３８を介して光ディスク１００Ｄへ照射される出射パワーが変動してしまうからである。
【００６５】
これに対して図７は、光ピックアップ４０において、コリメータレンズ４４が光ビームＬ１１の光路上でレーザダイオード４２Ａ側へ移動されたときの位置であり、次式
【００６６】
ΔＺ／ｆ＝０．００８７                                  ……（２）
【００６７】
となったときに、コリメータレンズ４４からＤＢＳＰ４５に対して微発散光が導かれているときの出射パワーの変動を示している。
【００６８】
このとき光ピックアップ４０では、時間の経過と共に、レーザダイオード４２Ａの温度が２６度程度から約４２度程度にまで上昇しているにも拘わらず、対物レンズ３８から光ディスク１００Ｄの信号記録層に照射される平行光Ｌ１２Ａの出射パワーが最大で＋側に約０．７％、−側に約０．６％程度しか変動していない。
【００６９】
また図８でも同様に、サーミスタによるレーザダイオード４２Ａの温度変化に対して、対物レンズ３８から光ディスク１００Ｄの信号記録層に照射される平行光Ｌ１２Ａの出射パワーが＋側に約０．７％、−側に約０．６％程度しか変動していない様子が示されている。
【００７０】
さらに図９は、光ピックアップ４０において、コリメータレンズ４４が光ビームＬ１１の光路上でレーザダイオード４２Ａ側へ移動されたときの位置であり、次式
【００７１】
ΔＺ／ｆ＝０．０１７４                                  ……（３）
【００７２】
となったときに、コリメータレンズ４４からＤＢＳＰ４５に対して微発散光が導かれているときの出射パワーの変動を示している。
【００７３】
このとき光ピックアップ４０では、時間の経過と共に、レーザダイオード４２Ａの温度が２６度程度から約３９度程度にまで上昇しているにも拘わらず、対物レンズ３８から光ディスク１００Ｄの信号記録層に照射される平行光Ｌ１２Ａの出射パワーが最大で＋側に約０．１％、−側に約０．３％程度しか変動していない。
【００７４】
また図１０でも同様に、サーミスタによるレーザダイオード４２Ａの温度変化に対して、対物レンズ３８から光ディスク１００Ｄの信号記録層に照射される平行光Ｌ１２Ａの出射パワーが＋側に約０．１％、−側に約０．３％程度しか変動していない様子が示されている。
【００７５】
最後に、図１１は、光ピックアップ４０において、コリメータレンズ４４が光ビームＬ１１の光路上でレーザダイオード４２Ａ側へ最も移動されたときの位置であり、次式
【００７６】
ΔＺ／ｆ＝０．０２４３                                  ……（４）
【００７７】
となったときに、コリメータレンズ４４からＤＢＳＰ４５に対して微発散光が導かれているときの出射パワーの変動を示している。
【００７８】
このとき光ピックアップ４０では、時間の経過と共に、レーザダイオード４２Ａの温度が２５度程度から約４４度程度にまで上昇しているにも拘わらず、対物レンズ３８から光ディスク１００Ｄの信号記録層に照射される平行光Ｌ１２Ａの出射パワーが最大で＋側に約０．２％、−側に約０．１％程度しか変動していない。
【００７９】
また図１２でも同様に、サーミスタによるレーザダイオード４２Ａの温度変化に対して、対物レンズ３８から光ディスク１００Ｄの信号記録層に照射される平行光Ｌ１２Ａの出射パワーが＋側に約０．２％、−側に約０．１％程度しか変動していない様子が示されている。
【００８０】
このように光ピックアップ４０では、コリメータレンズ４４が光ビームＬ１１の光路上でレーザダイオード４２Ａ側へ移動されたことにより、平行光Ｌ１２ではなく微発散光がＤＢＳＰ４５へ導かれた場合、ＦＰＤ４６に対する干渉縞の度合いが低減される。
【００８１】
このため光ピックアップ４０では、温度上昇によりレーザダイオード４２Ａからの出射波長が変化しているにも拘わらず、光ディスク１００Ｄへ照射される出射パワーの変動が抑制されるのである。
【００８２】
すなわち光ピックアップ４０では、横軸にΔＺ／ｆ、縦軸に出射パワーの変動割合％を示した図１３に示すように、ΔＺ／ｆの値が大きくなるに連れて（コリメータレンズ４４がレーザダイオード４２Ａ側へ近付くに連れて）、出射パワーの変動割合が急激に小さくなっていくことが分かる。
【００８３】
特に光ピックアップ４０は、次式
【００８４】
｜ΔＺ／ｆ｜≧０．０１２                                ……（５）
【００８５】
を満たすような位置にコリメータレンズ４４を配置した場合、パワー変動を約１％以下に低減させ得るようになされている。
【００８６】
（１−４）動作及び効果
以上の構成において、光ディスク装置３０の光ピックアップ４０は、レーザダイオード４２ＡとＤＢＳＰ４５との間であって、当該レーザダイオード４２Ａから出射される光ビームＬ１１を平行光Ｌ１２に変換するためのコリメータレンズ４４における当該光路上の位置をレーザダイオード４２Ａ側へ移動させるようにした。
【００８７】
これにより光ピックアップ４０は、コリメータレンズ４４における光路上の位置がレーザダイオード４２Ａ側へ移動された結果、当該コリメータレンズ４４から平行光Ｌ１２ではなく微発散光をＤＢＳＰ４５へ導くことができる。
【００８８】
従って光ピックアップ４０では、ＤＢＳＰ４５の波長選択膜４５ＡによってＡＰＣ側のＦＰＤ４６へ導かれた平行光Ｌ１２の反射光Ｌ１２Ｂと、反射防止膜４５ＢによってＦＰＤ４６へ不要に導かれた反射光Ｌ１２Ｃとが干渉したときに比べて、ＤＢＳＰ４５の波長選択膜４５ＡによってＦＰＤ４６へ導かれた微発散光の反射光Ｌ１２Ｂと、反射防止膜４５ＢによってＦＰＤ４６へ導かれた微発散光の反射光とが干渉したときの方が、ＦＰＤ４６に生じる干渉縞の度合いを低減させることができる。
【００８９】
かくして光ピックアップ４０は、コリメータレンズ４４が光ビームＬ１１の光路上でレーザダイオード４２Ａ側へ移動されたことにより、平行光Ｌ１２ではなく微発散光がＤＢＳＰ４５へ導かれ、ＦＰＤ４６に対する干渉縞の影響を低減することができる。
【００９０】
その結果、光ピックアップ４０では、温度上昇によりレーザダイオード４２Ａからの出射波長が変化したとしても、光ディスク１００Ｄへ照射される出射パワーの変動を大幅に抑制することができる。
【００９１】
特に、光ピックアップ４０では、図１３に示したように、ΔＺ／ｆの値が大きくに連れて（コリメータレンズ４４がレーザダイオード４２Ａ側へ近付くに連れて）、出射パワーの変動割合が急激に小さくなっていくことが明らかである。
【００９２】
従って光ピックアップ４０では、上述したような（５）式を満たす位置にコリメータレンズ４４を移動した場合、光ディスク１００Ｄへ照射するパワー変動を約１％以下に低減させることができる。
【００９３】
以上の構成によれば、光ディスク装置３０では、光ピックアップ４０におけるＤＶＤ用光集積素子４２のレーザダイオード４２Ａ側へコリメータレンズ４４の位置を移動させたことにより、当該コリメータレンズ４４から平行光Ｌ１２ではなく微発散光をＤＢＳＰ４５へ導き、ＦＰＤ４６に生じる干渉縞の度合いを低減することができる。
【００９４】
これにより光ディスク装置３０の光ピックアップ４０は、温度上昇によりレーザダイオード４２Ａからの出射波長が変化したとしても、光ディスク１００Ｄへ照射される出射パワーの変動を大幅に抑制し、安定した記録状態を持続させることができる。
【００９５】
さらに光ディスク装置３０の光ピックアップ４０は、キューブ状のＤＢＳＰを用いるのではなく、平板状のＤＢＳＰ４５を用い、コリメータレンズ４４の位置を移動させただけの簡易な構成を採用したことにより、小型軽量化を実現することができる。
【００９６】
（２）第２の実施の形態
（２−１）光ディスク装置の全体構成
図３において、本発明における第２の実施の形態における光ディスク装置１３０は、第１の実施の形態における光ディスク装置３０と同様の構成を有している。
【００９７】
この光ディスク装置１３０では、第１の実施の形態における光ディスク装置３０の光ピックアップ４０と異なる光ピックアップ１４０を有する点以外については同様であるため、便宜上その説明を省略する。
【００９８】
（２−２）光ピックアップの構成
図４との対応部分に同一符号を付した図１４に示すように光ピックアップ１４０は、光ディスク１００がＤＶＤ方式でなる光ディスク１００Ｄに対してのみ対応しており、レーザダイオード４２Ａから波長約６６０［ｎｍ］でなる例えばＰ偏光の光ビームＬ１１を出射させ、コリメータレンズ４４へ入射させる。
【００９９】
コリメータレンズ４４は、レーザダイオード４２Ａから入射された光ビームＬ１１を発散光から平行光Ｌ１２へ変換して偏光ビームスプリッタ６５へ入射させる。
【０１００】
偏光ビームスプリッタ６５は、光ビームＬ１１の偏光方向に応じて反射率及び透過率が相違する性質を有しており、例えばＰ偏光の光ビームＬ１１を偏光膜６５Ａによって約９０％の割合で透過させると共に、当該偏光膜６５Ａにより残りの１０％を反射させるようになされている。
【０１０１】
従って偏光ビームスプリッタ６５は、コリメータレンズ４４から入射された波長約６６０［ｎｍ］の平行光Ｌ１２を偏光膜６５Ａにより９０％の割合で透過させ、それを平行光Ｌ１２Ａとして１／４波長偏光板６６へ入射させる。
【０１０２】
１／４波長偏光板６６は、Ｐ偏光の平行光Ｌ１２Ａを左円偏光に変換した後、反射ミラー４７へ入射させる。反射ミラー４７は、当該平行光Ｌ１２Ａを左円偏光から右円偏光に変換した後、対物レンズ３８へ入射させる。対物レンズ３８は、平行光Ｌ１２Ａを集光し、当該光ディスク１００Ｄの信号記録層に照射する。
【０１０３】
平行光Ｌ１２Ａは、光ディスク１００Ｄにおいて反射され、例えば右円偏光から左円偏光に変換された反射光ビームとして光ビームＬ１１の光路を反対方向へ順次辿る。反射光ビームは、対物レンズ３８により平行光に変換され、反射ミラー４７により例えば左円偏光から右円偏光に変換されて１／４波長偏光板６６に入射される。
【０１０４】
１／４波長偏光板６６は、右円偏光の平行光をＳ偏光に変換した後、偏光ビームスプリッタ６５へ入射させる。偏光ビームスプリッタ６５は、１／４波長偏光板６６から入射されたＳ偏光の平行光を約１００％反射させ、集光レンズ６１を介してフォトディテクタ６２Ａへ入射させるようになされている。
【０１０５】
フォトディテクタ６２Ａは、その受光光量を検出し、当該検出した受光光量に応じたＤＶＤ再生検出信号を生成して信号処理部３３（図３）へ供給する。
【０１０６】
信号処理部３３は、フォトディテクタ６２Ａから供給された複数のＤＶＤ再生検出信号に対して所定の演算処理を施すことによりフォーカスエラー信号及びトラッキングエラー信号等を生成し、これらを駆動部３２へ供給することにより、フィードバック処理によるフォーカス制御及びトラッキング制御を行わせるようになされている。
【０１０７】
また信号処理部３３は、フォトディテクタ６２Ａから供給されたＤＶＤ再生検出信号に対して所定の演算処理を施すことにより、光ディスク１００Ｄに記録されている情報を表すＤＶＤ再生ＲＦ信号を生成し、さらに所定の復調処理や復号化処理等を施すことによりＤＶＤ再生信号を生成し、これを制御部１１へ供給する。これに応じて制御部３１は、当該ＤＶＤ再生信号を図示しない外部機器へ供給するようになされている。
【０１０８】
一方、偏光ビームスプリッタ６５は、コリメータレンズ４４から入射された平行光Ｌ１２を偏光膜６５Ａによって１０％の割合で反射させ、反射光Ｌ１２Ｂとしてオートパワーコントロール用のＦＰＤ４６へ入射させる。
【０１０９】
ＦＰＤ４６は、偏光ビームスプリッタ６５の偏光膜６５Ａにより反射された反射光Ｌ１２Ｂの光量を検出し、当該検出した光量に応じた光量検出信号を生成して信号処理部３３へ供給する。
【０１１０】
信号処理部３３は、ＦＰＤ４６から供給される光量検出信号に対して所定の演算処理を施すことによりレーザ制御信号を生成し、当該レーザ制御信号をレーザダイオード４２Ａへ供給することにより、レーザダイオード４２Ａから出射させる光ビームＬ１１を所望の光量となるように制御するようになされている。
【０１１１】
このように光ピックアップ１４０は、信号処理部３３から供給されるレーザ制御信号に基づいて、レーザダイオード４２Ａから所望光量の光ビームＬ１１を出射させることにより、光ディスク１００Ｄに対する情報の記録再生特性を安定化するようになされている。
【０１１２】
ところが光ピックアップ１４０では、偏光ビームスプリッタ６５の偏光膜６５Ａの反対側に形成された反射防止膜６５Ｂによって、コリメータレンズ４４から入射された平行光Ｌ１２のＡＰＣ側への反射を防止するようになされているものの、実際、反射防止膜６５Ｂにおける反射光を完全に「０」とすることはできず、僅かな（約１％以下程度）反射光Ｌ１２ＣをＡＰＣ側のＦＰＤ４６へ照射してしまう。
【０１１３】
そのために光ピックアップ１４０は、偏光ビームスプリッタ６５の偏光膜６５Ａで反射した反射光Ｌ１２Ｂと、反射防止膜６５Ｂで反射した不要な反射光Ｌ１２Ｃとが干渉を起こし（波線部分で示す）、ＡＰＣ側のＦＰＤ４６に干渉縞を生じさせてしまう。
【０１１４】
このＦＰＤ４６に生じた干渉縞は、レーザダイオード４２Ａの温度上昇によって光ビームＬ１１の波長が変化すると、その干渉縞も変動することになる。そうすると、光ピックアップ１４０では、当該ＦＰＤ４６によって検出する光量が干渉縞の変動により変化し、レーザダイオード４２Ａから対物レンズ３８を介して光ディスク１００Ｄへ照射される出射パワーが変動してしまう。
【０１１５】
そこで光ピックアップ１４０においても、レーザダイオード４２Ａから出射された光ビームＬ１１をコリメータレンズ４４によって平行光Ｌ１２とする際に、光ビームＬ１１を平行光Ｌ１２とするのではなく、コリメータレンズ４４を光ビームＬ１１の光路上でレーザダイオード４２Ａ側へ僅かに移動させた位置（点線で示す）に配置しておくようになされている。
【０１１６】
これにより光ピックアップ１４０では、コリメータレンズ４４を介して光ビームＬ１１を平行光ではなく微発散光に変換し、これをＤＢＳＰ４５へ導くことができるようになされている。
【０１１７】
この結果、光ピックアップ１４０では、当該ＤＢＳＰ４５の波長選択膜４５Ａにより１０％の割合で反射された微発散光の反射光と、反射防止膜４５Ｂにより反射した不要な微発散光の反射光との干渉度合いを低減させ得るようになされている。
【０１１８】
因みに、光ピックアップ１４０による干渉度合いを低減させたことにより出射パワーの変動を抑制し得る作用効果については、第１の実施の形態において図５乃至図１３で説明したときと同様である。
【０１１９】
（２−３）動作及び効果
以上の構成において、光ディスク装置１３０の光ピックアップ１４０は、レーザダイオード４２ＡとＤＢＳＰ４５との間であって、当該レーザダイオード４２Ａから出射される光ビームＬ１１を平行光Ｌ１２に変換するためのコリメータレンズ４４における当該光路上の位置をレーザダイオード４２Ａ側へ移動させるようにした。
【０１２０】
これにより光ピックアップ１４０は、コリメータレンズ４４における光路上の位置がレーザダイオード４２Ａ側へ移動された結果、当該コリメータレンズ４４から平行光Ｌ１２ではなく微発散光をＤＢＳＰ４５へ導くことができる。
【０１２１】
従って光ピックアップ１４０では、ＤＢＳＰ４５の波長選択膜４５ＡによってＡＰＣ側のＦＰＤ４６へ導かれた平行光Ｌ１２の反射光Ｌ１２Ｂと、反射防止膜４５ＢによってＦＰＤ４６へ不要に導かれた反射光Ｌ１２Ｃとが干渉したときに比べて、ＤＢＳＰ４５の波長選択膜４５ＡによってＦＰＤ４６へ導かれた微発散光の反射光Ｌ１２Ｂと、反射防止膜４５ＢによってＦＰＤ４６へ導かれた微発散光の反射光とが干渉したときの方が、ＦＰＤ４６に生じる干渉縞の度合いを低減させることができる。
【０１２２】
かくして光ピックアップ１４０は、コリメータレンズ４４が光ビームＬ１１の光路上でレーザダイオード４２Ａ側へ移動されたことにより、平行光Ｌ１２ではなく微発散光がＤＢＳＰ４５へ導かれ、ＦＰＤ４６に対する干渉縞の影響を低減することができる。
【０１２３】
その結果、光ピックアップ１４０では、温度上昇によりレーザダイオード４２Ａからの出射波長が変化したとしても、光ディスク１００Ｄへ照射される出射パワーの変動を大幅に抑制することができる。
【０１２４】
特に、光ピックアップ１４０においても、図１３に示したように、ΔＺ／ｆの値が大きくなるに連れて（コリメータレンズ４４がレーザダイオード４２Ａ側へ近付くに連れて）、出射パワーの変動割合が急激に小さくなっていくことが明らかである。
【０１２５】
従って光ピックアップ１４０では、上述したような（５）式を満たす位置にコリメータレンズ４４を移動した場合、光ディスク１００Ｄへ照射するパワー変動を約１％以下に低減させることができる。
【０１２６】
以上の構成によれば、光ディスク装置１３０では、光ピックアップ１４０におけるレーザダイオード４２Ａ側へコリメータレンズ４４の位置を移動させたことにより、当該コリメータレンズ４４から平行光Ｌ１２ではなく微発散光をＤＢＳＰ４５へ導き、ＦＰＤ４６に生じる干渉縞の度合いを低減することができる。
【０１２７】
これにより光ディスク装置１３０の光ピックアップ１４０は、温度上昇によりレーザダイオード４２Ａからの出射波長が変化したとしても、光ディスク１００Ｄへ照射される出射パワーの変動を大幅に抑制し、安定した記録状態を持続させることができる。
【０１２８】
さらに光ディスク装置１３０の光ピックアップ１４０は、キューブ状のＤＢＳＰを用いるのではなく、平板状のＤＢＳＰ４５を用い、コリメータレンズ４４の位置を移動させただけの簡易な構成を採用したことにより、小型軽量化を実現することができる。
【０１２９】
（３）他の実施の形態
なお上述の第１の実施の形態においては、ＤＶＤ用光集積素子４２のレーザダイオード４２Ａからの光ビームＬ１１をＤＶＤ方式でなる光ディスク１００Ｄに出射させたときに出射パワーの変動を大幅に抑制する場合に適用するようにした場合について述べた。
【０１３０】
しかしながら本発明はこれに限らず、ＣＤ用光集積素子５２のレーザダイオード５２Ａからの光ビームをＣＤ方式でなる光ディスク１００Ｃに出射させたときに出射パワーの変動を抑制する場合に適用するようにしても良い。
【０１３１】
この場合、光ピックアップ４０（図４）では、ＣＤ用光集積素子５２のレーザダイオード５２Ａから出射された波長約７８０［ｎｍ］の光ビームをＤＢＳＰ４５の波長選択膜４５Ａによって９０％の割合で反射させる。
【０１３２】
一方、光ピックアップ４０では、１０％の割合で残りの光ビームを透過させるようになるが、１０％の透過光が反射防止膜４５Ｂで僅かに反射し、それが波長選択膜４５Ａで再反射し、再反射光としてＡＰＣ側のＦＰＤ４６へ入射されてしまう。
【０１３３】
そのため光ピックアップ４０では、１０％の透過光と再反射光とが干渉することになるが、このときもコリメータレンズ４９をレーザダイオード５２Ａ側へ移動させることにより平行光を微発散光に変換して干渉度合いを低減させ、出射パワーの変動を大幅に抑制することができる。
【０１３４】
また上述の第１の実施の形態においては、コリメータレンズ４４をレーザダイオード４２Ａ側へ移動させ、微発散光をＤＢＳＰ４５へ導くことにより干渉の度合いを低減させるようにした場合について述べた。
【０１３５】
しかしながら、本発明はこれに限らず、図４との対応部分に同一符号を付した図１５に示すように、光ピックアップ４０ではコリメータレンズ４４をＤＢＳＰ４５側へ移動量ΔＸだけ移動させ、その結果得られる微収束光をＤＢＳＰ４５へ導くことにより干渉の度合いを低減させるようにしても良い。
【０１３６】
この場合の光ピックアップ４０においても、図１３に示したように、上述の（５）式を満たすような位置にコリメータレンズ４４を配置した場合、パワー変動を約１％以下に低減させ得るようになされている。
【０１３７】
さらに上述の第２の実施の形態においては、コリメータレンズ４４をレーザダイオード４２Ａ側へ移動させることにより微発散光を偏光ビームスプリッタ６５へ導くことにより干渉の度合いを低減させるようにした場合について述べた。
【０１３８】
しかしながら、本発明はこれに限らず、図１４との対応部分に同一符号を付した図１６に示すように、光ピックアップ１４０ではコリメータレンズ４４を偏光ビームスプリッタ６５側へ移動量ΔＸだけ移動させて微収束光を偏光ビームスプリッタ６５へ導くことにより干渉の度合いを低減させるようにしても良い。
【０１３９】
この場合の光ピックアップ１４０においても、図１３に示したように、上述の（５）式を満たすような位置にコリメータレンズ４４を配置した場合、パワー変動を約１％以下に低減させ得るようになされている。
【０１４０】
さらに上述した第１の実施の形態及び第２の実施の形態においては、ＤＢＳＰ４５における第１膜としての波長選択膜４５Ａの先に光ディスク１００を配置し、第２膜としての反射防止膜４５Ｂの先にＡＰＣのＦＰＤ４６を配置するようにした場合について述べた。
【０１４１】
しかしながら、本発明はこれに限らず、ＤＢＳＰ４５における第１膜としての波長選択膜４５Ａと第２膜としての反射防止膜４５Ｂとの位置関係を逆に設定し、波長選択膜４５Ａと光ディスク１００とを対応させて配置し、反射防止膜４５Ｂと対応させてＡＰＣのＦＰＤ４６を配置するようにしても良い。
【０１４２】
さらに上述した実施の形態においては、光ディスク１００の種別がＣＤ方式でなる光ディスク１００ＣＤ又はＤＶＤ方式でなる光ディスク１００Ｄのいずれであるかにより、波長約７８０［ｎｍ］でなる光ビームＬ１又は波長約６６０［ｎｍ］でなる光ビームＬ１１を出射するようにした場合について述べた。
【０１４３】
しかしながら、本発明はこれに限らす、例えばＢＤ(Blu-ray Disc：登録商標)方式でなる光ディスクに対して波長約４０５[ｎｍ]の光ビームを照射する場合など、異なる波長を用いる複数方式の光ディスクに対応するような場合に適用しても良い。
【０１４４】
さらに上述した第１の実施の形態及び第２の実施の形態においては、記録と再生の両方を行い得る光ピックアップ４０及び１４０を用いるようにした場合について述べたが、本発明はこれに限らず、再生だけを行い得る光ピックアップを用いるようにしても良い。
【０１４５】
さらに上述した第１の実施の形態及び第２の実施の形態においては、光源としてのレーザダイオード４２Ａ、５２Ａと、コリメータレンズとしてのコリメータレンズ４４、４９と、板状の反射板としてのＤＢＳＰ４５、偏光ビームスプリッタ６５とによって本発明の光ピックアップとしての光ピックアップ４０、１４０を構成するようにした場合について述べたが、本発明はこれに限らず、この他種々の構成でなる光源、コリメータレンズ及び反射板によって光ピックアップを構成するようにしても良い。
【０１４６】
さらに上述した第１の実施の形態及び第２の実施の形態においては、第１光源としてのレーザダイオード４２Ａ、第２光源としてのレーザダイオード５２Ａ、制御部としての制御部３１、第１コリメータレンズとしてのコリメータレンズ４４、第２コリメータレンズとしてのコリメータレンズ４９、板状の反射板としてのＤＢＳＰ４５によって本発明の光ピックアップとしての光ピックアップ４０、１４０を構成するようにした場合について述べたが、本発明はこれに限らず、この他種々の構成でなる第１光源、第２光源、第１コリメータレンズ、第２コリメータレンズ及び反射板によって光ピックアップを構成するようにしても良い。
【産業上の利用可能性】
【０１４７】
本発明の光ピックアップ及び光ディスク装置は、例えばＤＶＤやＣＤ等の光ディスクを対象とした光ディスク装置以外にも、ＢＤ(Blu-ray Disc：登録商標)方式の光ディスクやＨＤ ＤＶＤ(High Density Digital Versatile Disc：登録商標)をも対象とした光ディスク装置に適用することができる。
【図面の簡単な説明】
【０１４８】
【図１】従来の光ピックアップの構成（１）を示す略線的断面図である。
【図２】従来の光ピックアップの構成（２）を示す略線的断面図である。
【図３】本発明における光ディスク装置の全体構成を示す略線的ブロック図である。
【図４】第１の実施の形態における光ピックアップの構成を示す略線的断面図である。
【図５】平行光の場合のレーザダイオード温度と出射光量（パワー）との関係（１）を示す略線的特性曲線図である。
【図６】平行光の場合のレーザダイオード温度と出射光量（パワー）との関係（２）を示す略線的特性曲線図である。
【図７】ΔＺ／ｆ＝０．００８７のときのレーザダイオード温度と出射光量（パワー）との関係（１）を示す略線的特性曲線図である。
【図８】ΔＺ／ｆ＝０．００８７のときのレーザダイオード温度と出射光量（パワー）との関係（２）を示す略線的特性曲線図である。
【図９】ΔＺ／ｆ＝０．０１７４のときのレーザダイオード温度と出射光量（パワー）との関係（１）を示す略線的特性曲線図である。
【図１０】ΔＺ／ｆ＝０．０１７４のときのレーザダイオード温度と出射光量（パワー）との関係（２）を示す略線的特性曲線図である。
【図１１】ΔＺ／ｆ＝０．０２４３のときのレーザダイオード温度と出射光量（パワー）との関係（１）を示す略線的特性曲線図である。
【図１２】ΔＺ／ｆ＝０．０２４３のときのレーザダイオード温度と出射光量（パワー）との関係（２）を示す略線的特性曲線図である。
【図１３】ΔＺ／ｆと出射パワーの変動割合との関係を示す略線的特性曲線図である。
【図１４】第２の実施の形態における光ピックアップの構成を示す略線的断面図である。
【図１５】他の実施の形態における光ピックアップの構成（１）を示す略線的断面図である。
【図１６】他の実施の形態における光ピックアップの構成（２）を示す略線的断面図である。
【符号の説明】
【０１４９】
１、２０、４０、１４０……光ピックアップ、３０、１３０……光ディスク装置、２、４２……ＤＶＤ用光集積素子、３、５２……ＣＤ用光集積素子、４、９、４４、４９……コリメータレンズ、５、４５……ＤＢＳＰ、６、４６……ＦＰＤ、７、４７……反射ミラー、８、３８……対物レンズ、９……コリメータレンズ、１５……ビームスプリッタ、３１……制御部、３２……駆動部、３３……信号処理部、３４……スピンドルモータ、３５……スレッドモータ、３７……２軸アクチュエータ、４２Ａ、５２Ａ……レーザダイオード、４２Ｂ、５２Ｂ、６２Ａ……フォトディテクタ、４２Ｃ、５２Ｃ……偏光ホログラム、４３、６６……１／４波長偏光板、４５Ａ……波長選択膜、４５Ｂ、６５Ｂ……反射防止膜、６５……偏光ビームスプリッタ、６５Ａ……偏光膜、１００、１００Ｃ、１００Ｄ……光ディスク。
【図１】
2009259347.tif 000003
【図２】
2009259347.tif 000004
【図３】
2009259347.tif 000005
【図４】
2009259347.tif 000006
【図５】
2009259347.tif 000007
【図６】
2009259347.tif 000008
【図７】
2009259347.tif 000009
【図８】
2009259347.tif 000010
【図９】
2009259347.tif 000011
【図１０】
2009259347.tif 000012
【図１１】
2009259347.tif 000013
【図１２】
2009259347.tif 000014
【図１３】
2009259347.tif 000015
【図１４】
2009259347.tif 000016
【図１５】
2009259347.tif 000017
【図１６】
2009259347.tif 000018